(57)【要約】【課題】収納物の取り出し及び収納を容易とし、使い勝手を良好とする。【解決手段】箱体（１）に対し、棚部（２）が上下に昇降し、棚部は奥行き方向に第一の棚部（２１）と第二の棚部（２２）に二分割され、箱体から降ろされた後に一方の棚部が他方の棚部に対して１８０°回転し、第一の棚部と第二の棚部の正面が面一に並ぶ。【選択図】          図１
2004166983.tif 000002
【特許請求の範囲】
【請求項１】
箱体に対し、棚部が上下に昇降する昇降棚であり、棚部は奥行き方向に第一の棚部と第二の棚部に二分割され、箱体から降ろされた後に一方の棚部が他方の棚部に対して１８０°回転し、第一の棚部と第二の棚部の正面が面一に並ぶことを特徴とする昇降棚。
【請求項２】
横断面Ｌ字形の箱体に対し、三つの棚部が上下に昇降する昇降棚であり、三つの棚部は、Ｌ字形の二辺部とこの二辺部が直角に交わる部分に一つずつ配置され、Ｌ字形の二辺部に配置された二つの棚部は、箱体から降ろされた後に、Ｌ字形の二辺部が直角に交わる部分に配置された棚部と反対側に９０°回転して正面を向くことを特徴とする昇降棚。
【請求項３】
請求項１記載の昇降棚と請求項２記載の昇降棚が並設されたことを特徴とする昇降棚。
【発明の詳細な説明】
【０００１】
【発明の属する技術分野】
この出願の発明は、昇降棚に関するものである。さらに詳しくは、この出願の発明は、収納物の取り出し及び収納が容易で、使い勝手に優れた昇降棚に関するものである。
【０００２】
【従来の技術】
住宅等のキッチン、洗面所用の吊戸棚として昇降棚が知られている（たとえば、特許文献１参照）。この昇降棚では、箱体に対して棚部が上下に昇降し、普段は手の届きにくい高い位置に収納された収納物を、使用時に棚部を降ろすことにより、収納物の取り出し、収納を行うことができるようにしたものである。
【０００３】
【特許文献１】
特開平７−３１３２７４号公報
【０００４】
【発明が解決しようとする課題】
しかしながら、上記特許文献に記載された昇降棚は、収納物を取り出し、収納する時には棚部を降ろすことができるものの、棚部の奥側に収納した収納物は、手前側に収納したものを取り出した後でないと取り出すことができないという不便さがある。この点は、収納物の収納時についても同様である。
【０００５】
この出願の発明は、このような事情に鑑みてなされたものであり、収納物の取り出し及び収納が容易で、使い勝手に優れた昇降棚を提供することを解決すべき課題としている。
【０００６】
【課題を解決するための手段】
この出願の発明は、上記の課題を解決するものとして、箱体に対し、棚部が上下に昇降する昇降棚であり、棚部は奥行き方向に第一の棚部と第二の棚部に二分割され、箱体から降ろされた後に一方の棚部が他方の棚部に対して１８０°回転し、第一の棚部と第二の棚部の正面が面一に並ぶことを特徴とする昇降棚（請求項１）を提供する。
【０００７】
また、この出願の発明は、横断面Ｌ字形の箱体に対し、三つの棚部が上下に昇降する昇降棚であり、三つの棚部は、Ｌ字形の二辺部とこの二辺部が直角に交わる部分に一つずつ配置され、Ｌ字形の二辺部に配置された二つの棚部は、箱体から降ろされた後に、Ｌ字形の二辺部が直角に交わる部分に配置された棚部と反対側に９０°回転して正面を向くことを特徴とする昇降棚（請求項２）を提供する。
【０００８】
さらに、この出願の発明は、請求項１記載の昇降棚と請求項２記載の昇降棚が並設されたことを特徴とする昇降棚（請求項３）を提供する。
【０００９】
以下、図面に沿ってこの出願の発明の昇降棚についてさらに詳しく説明する。
【００１０】
【発明の実施の形態】
図１は、この出願の発明の一つ目の昇降棚の概要を示した斜視図である。
【００１１】
この出願の発明の一つ目の昇降棚は、前述の特許文献に記載の昇降棚と同様に、箱体（１）に対し、棚部（２）が上下に昇降する昇降棚であるが、この出願の発明の一つ目の昇降棚では、棚部（２）が奥行き方向に第一の棚部（２１）と第二の棚部（２２）に二分割されている。また、この出願の発明の一つ目の昇降棚では、箱体（１）から降ろされた後に一方の棚部、図１に示した実施形態では第一の棚部（２１）が他方の棚部、すなわち第二の棚部（２２）に対して１８０°回転し、第一の棚部（２１）と第二の棚部（２２）の正面が面一に並ぶようになっている。
【００１２】
このように、この出願の発明の一つ目の昇降棚では、棚部（２）が奥行き方向に第一の棚部（２１）と第二の棚部（２２）に二分割され、箱体（１）から降ろされた後に一方の棚部、たとえば第一の棚部（２１）が、他方の棚部、第二の棚部（２２）に対して１８０°回転し、第一の棚部（２１）と第二の棚部（２２）の正面が面一に並ぶため、これまで棚部（２）の奥側に収納されたいたものも第一の棚部（２１）及び第二の棚部（２２）の手前側に収納することができ、収納物の取り出し、収納作業が容易となり、使い勝手に優れる。
【００１３】
なお、図１に示したこの出願の発明の一つ目の昇降棚では、当然のことながら、第一の棚部（２１）に対して第二の棚部（２２）を１８０°回転させても構わない。また、一方の棚部を他方の棚部に対して１８０°回転させる機構は特に制限はなく、たとえば図１に示したようなヒンジ（３）等の簡便な機構をはじめ、各種のものとすることができる。さらに、この出願の発明の一つ目の昇降棚では、棚部（２）の昇降方式は手動でも電動でもよく、回転方式も同様である。手動方式の場合には、ハンドル等を棚部（２）の下面部に配設することができる。
【００１４】
以上の昇降棚は、たとえばキッチンの場合、レンジフードの横に配置すると、その利便性が顕著となる。なぜならば、調理時に必要なものを手のすぐ届くところに配置することができるからである。
【００１５】
図２、図３は、それぞれ、この出願の発明の二つ目の昇降棚の概要を示した斜視図、平面図である。
【００１６】
この出願の発明の二つ目の昇降棚は、横断面Ｌ字形の箱体（４）に対し、三つの棚部（５１）（５２）（５３）が上下に昇降する昇降棚である。この出願の発明の二つ目の昇降棚では、三つの棚部（５１）（５２）（５３）が、Ｌ字形の二辺部とこの二辺部が直角に交わる部分に一つずつ配置されている。そして、Ｌ字形の二辺部に配置された二つの棚部（５１）（５２）は、箱体（４）から降ろされた後に、棚部（５３）と反対側に９０°回転して正面を向くようになっている。
【００１７】
このように、この出願の発明の二つ目の昇降棚では、棚部を三分割し、Ｌ字形の二辺部に棚部（５１）（５２）を、Ｌ字形の二辺部が直角に交わる部分に棚部（５３）をそれぞれ配置し、上記棚部の内、棚部（５１）（５２）を、箱体（４）から降ろされた後に棚部（５３）と反対側に９０°回転して正面を向くようにしているため、収納物の取り出し、収納作業が容易となり、使い勝手に優れる。
【００１８】
この出願の発明の二つ目の昇降棚は、図３に示したような平面視Ｌ字形のカウンター（６）の上方に設けられる吊戸棚として特に有効となる。それというのも、この出願の発明の二つ目の昇降棚では、上述のように、棚部（５１）（５２）は箱体（４）から降ろされた後に、棚部（５３）と反対側に９０°回転して正面を向くため、図３図中に点線で示したように、カウンター（６）の領域（６１）を諸作業に十分広くとることができるからである。
【００１９】
この出願の発明の二つ目の昇降棚についても、棚部（５１）（５２）（５３）の昇降方式は手動若しくは電動とすることができる。好ましくは、棚部（５１）（５２）は回転するため、そのための機構を簡便にするために手動式とし、棚部（５３）のみを電動式とすることが考えられる。いずれにしても、昇降及び回転機構については特に制限はなく、種々の方式を適宜採用することができる。手動方式の場合には、ハンドル等を棚部の下面部に配設することができる。
【００２０】
図４は、この出願の発明の三つ目の昇降棚の概要を示した斜視図である。
【００２１】
この出願の発明の三つ目の昇降棚は、図１に示したこの出願の発明の一つ目の昇降棚と図２及び３に示したこの出願の発明の二つ目の昇降棚が並設されたものである。
【００２２】
このように、この出願の発明の一つ目の昇降棚とこの出願の発明の二つ目の昇降棚が並設されることにより、双方の特長が存分に生かされた昇降棚となる。この場合、第一の棚部（２１）と第二の棚部（２２）の正面が面一であることはもちろん、棚部（５２）の正面もそれら第一の棚部（２１）と第二の棚部（２２）と面一であると、収納物の取り出し、収納作業がより容易となり、使い勝手がよりよくなる。また、この出願の発明の三つ目の昇降棚において、この出願の発明の一つ目の昇降棚は棚部（５２）側だけでなく、棚部（５１）側にも同様に設けることができる。
【００２３】
もちろん、この出願の発明は、以上の実施形態によって限定されるものではない。棚部の昇降、回転機構等の細部については様々な態様が可能であることはいうまでもない。
【００２４】
【発明の効果】
以上詳しく説明したとおり、この出願の発明によって、収納物の取り出し及び収納が容易で、使い勝手に優れた昇降棚が提供される。
【図面の簡単な説明】
【図１】この出願の発明の一つ目の昇降棚の概要を示した斜視図である。
【図２】この出願の発明の二つ目の昇降棚の概要を示した斜視図である。
【図３】図２に示した昇降棚の平面図である。
【図４】この出願の発明の三つ目の昇降棚の概要を示した斜視図である。
【符号の説明】
１    箱体
２    棚部
２１    第一の棚部
２２    第二の棚部
３    ヒンジ
４    箱体
５１、５２、５３    棚部
６    カウンター
６１    領域
【図１】
2004166983.tif 000003
【図２】
2004166983.tif 000004
【図３】
2004166983.tif 000005
【図４】
2004166983.tif 000006